【手続補正書】
【提出日】平成17年8月3日(2005.8.3)
【手続補正１】
【補正対象書類名】明細書
【補正対象項目名】特許請求の範囲
【補正方法】変更
【補正の内容】
【特許請求の範囲】
【請求項１】
第１のトランスポート・ストリームを第１のメディアから受け取るモデムであって、前記第１のトランスポート・ストリームの中に第２のトランスポート・ストリームに関するパケットが配置され、前記第２のトランスポート・ストリームのパケットはタイミング・エラーの影響を受けやすい、前記モデムと、
前記第２のトランスポート・ストリームのパケットを、前記タイミング・エラーを減らすように変更し、前記第１のトランスポート・ストリームおよび前記第２のトランスポート・ストリームのうち少なくとも１つから再生されるタイミング情報を利用する、データ制御モジュールと、
前記第２のトランスポート・ストリームに関する前記パケットを第２のトランスポート・メディアに供給するトランスポート・インタフェースと、から成る装置。
【請求項２】
トランスポート・パケットを前記モデムから前記データ制御モジュールに伝送するルータを更に含む、請求項１記載の装置。
【請求項３】
前記データ制御モジュールとコンピューティング装置との間にデータを転送するインタフェース・モジュールを更に含み、前記インタフェース・モジュールは前記第２のトランスポート・ストリームに関する前記パケットの中にタイミング・エラーを誘起する傾向があり、前記データ制御モジュールは前記インタフェース装置より誘起されるタイミング・エラーを減らすように働く、請求項１記載の装置。
【請求項４】
第２のトランスポート・ストリームに関する前記パケットを前記第２のメディアを介して受け取るバック‐エンド（ｂａｃｋ‐ｅｎｄ）処理装置を更に含む、請求項１記載の装置。
【請求項５】
パケット化された基本的ストリームを、前記第２のメディアを通って伝播された前記トランスポート・ストリームから検索するトランスポート・プロセッサを更に含む、請求項１記載の装置。
【請求項６】
前記トランスポート・プロセッサより供給される、パケット化され検索された基本的ストリームを処理するために少なくとも１つの基本的ストリーム処理装置（プロセッサ）を更に含む、請求項５記載の装置。
【請求項７】
前記トランスポート・プロセッサおよび前記少なくとも１つの基本的ストリーム・プロセッサの各々がそれぞれのＲＩＳＣ（Ｒｅｄｕｃｅｄ  Ｉｎｓｔｒｕｃｔｉｏｎ  Ｓｅｔ  Ｃｏｍｐｕｔｅｒ：縮小命令セット・コンピュータ）装置によって実施される、請求項６記載の装置。
【請求項８】
前記第１のトランスポート・ストリームが非同期転送モード（ＡＴＭ：Ａｓｙｎｃｈｒｏｎｏｕｓ  Ｔｒａｎｓｆｅｒ  Ｍｏｄｅ）またはインターネット・プロトコル（ＩＰ）トランスポート・ストリームのうち１つを含み、前記第２のトランスポート・ストリームがＭＰＥＧ‐１、ＭＰＥＧ‐２、ＭＰＥＧ‐４およびＭＥＰＧ‐７のトランスポート・ストリームのうちの１つから成る、請求項１記載の装置。
【請求項９】
アクセス・ネットワークから第１のトランスポート・ストリームを検索してバック‐エンド装置へ供給するためのフロント‐エンド装置を具え、前記第１のトランスポート・ストリームの中に含まれるオーディオビジュアル・サブ‐ストリームを処理して、表示に適するオーディオビジュアル信号を発生するためのセット・トップ・ターミナル（Ｓｅｔ  Ｔｏｐ  Ｔｅｒｍｉｎａｌ：ＳＴＴ）において、
前記フロント‐エンド（ｆｒｏｎｔ‐ｅｎｄ）装置は、
前記アクセス・ネットワークから前記第１のトランスポート・ストリームを受信するモデムであって、前記第１のトランスポート・ストリームの中に第２のトランスポート・ストリームに関するパケットが配置され、前記第２のトランスポート・ストリームのパケットは前記オーディオビジュアル・サブ‐ストリームを形成し且つタイミング・エラーの影響を受けやすい、前記モデムと、
前記第２のトランスポート・ストリームのパケットを前記タイミング・エラーを減らす傾向に変更するデータ制御モジュールであって、前記第１のトランスポート・ストリームと前記第２のトランスポート・ストリームのうちの少なくとも１つから再生されるタイミング情報を利用する前記データ制御モジュールと、
前記第２のトランスポート・ストリームに関する前記パケットを第２のトランスポート・メディアに供給するトランスポート・インタフェースと、から成る、前記セット・トップ・ターミナル。
【請求項１０】
前記フロント‐エンド装置が、前記モデムから前記データ制御モジュールにトランスポート・パケットを送信するルータを更に含む、請求項９記載のセット・トップ・ターミナル。
【請求項１１】
前記フロント‐エンド装置が、前記データ制御モジュールとコンピューティング装置との間にデータを伝達するインタフェース・モジュールを更に含み、前記インタフェース・モジュールは前記第２のトランスポート・ストリームに関連する前記パケットの中に前記タイミング・エラーを誘起する傾向がある、請求項９記載のセット・トップ・ターミナル。
【請求項１２】
前記第１のトランスポート・ストリームが、非同期転送モード（ＡＴＭ）またはインターネット・プロトコル（ＩＰ）トランスポート・ストリームのうちの１つから成り、前記第２のトランスポート・ストリームが、ＭＰＥＧ‐１、ＭＰＥＧ‐２、ＭＰＥＧ‐４およびＭＰＥＧ‐７のトランスポート・ストリームのうちの１つから成る、請求項９記載のセット・トップ・ターミナル。
【請求項１３】
第１のトランスポート・ストリームの中に第２のトランスポート・ストリームに関するパケットが配置されており、前記第１のトランスポート・ストリームにジッタを生じる傾向がある第１のメディアから前記第１のトランスポート・ストリームを受け取るステップと、
前記第２のトランスポート・ストリームに関するパケットを前記第１のトランスポート・ストリームから抽出するステップと、
前記第１および第２のトランスポート・ストリームのうちの少なくとも１つから得られるタイミング情報を使用して、前記抽出されたパケットを、前記ジッタを減らす傾向に変更するステップと、
前記変更されたパケットを第２のメディアを介して伝送するステップと、から成る通信方法。
【請求項１４】
前記第１のトランスポート・ストリームが第１のトランスポート・ストリームのフォーマットに対応し、前記第２のトランスポート・ストリームが第２のトランスポート・ストリームのフォーマットに対応する、請求項１３記載の通信方法。
【請求項１５】
前記第１のトランスポート・ストリームのフォーマットが、非同期転送モード（ＡＴＭ）のフォーマットとインターネット・プロトコル（ＩＰ）のフォーマットのうちの少なくとも１つから成る、請求項１４記載の通信方法。
【請求項１６】
前記第２のトランスポート・ストリームのフォーマットがＭＰＥＧ‐１、ＭＰＥＧ‐２、ＭＰＥＧ‐４およびＭＰＥＧ‐７のトランスポート・ストリームのフォーマットのうちの１つから成る、請求項１４記載の通信方法。
【手続補正２】
【補正対象書類名】明細書
【補正対象項目名】０００４
【補正方法】変更
【補正の内容】
【０００４】
ＭＰＥＧオーディオビジュアル・データの場合、過大なネットワーク・ジッタまたはＭＰＥＧトランスポート・ストリームに関連する２７ＭＨｚのクロックの不規則な再生により、バッファのオーバフロー、バッファのアンダフロー、望ましくない色の変化、および他の有害な現象を生じ、伝送されているオーディオビジュアル素材（データ）が不正に表示される。このようなネットワーク・ジッタまたは不規則なクロック再生（または他のタイミングでの動作）は、ＰＣＩバスのアクセス／サービス（ｓｅｒｖｉｃｉｎｇ）によって引き起こされる。
【手続補正３】
【補正対象書類名】明細書
【補正対象項目名】０００７
【補正方法】変更
【補正の内容】
【０００７】
本発明の教示は、添付された図面と共に以下の詳細な説明を考慮することにより容易に理解することができる。理解を容易にするために、なるべく、同じ参照番号を使用して各図面に共通する同じ要素を表示している。
特許請求の範囲と実施例との対応関係を実施例で使われている参照符号を用いて示すと以下の通りである。
（請求項１）  第１のトランスポート・ストリームを第１のメディア（１０１）から受け取るモデム（１１０）であって、前記第１のトランスポート・ストリームの中に第２のトランスポート・ストリームに関するパケットが配置され、前記第２のトランスポート・ストリームのパケットはタイミング・エラーの影響を受けやすい、前記モデムと、
前記第２のトランスポート・ストリームのパケットを、前記タイミング・エラーを減らすように変更し、前記第１のトランスポート・ストリームおよび前記第２のトランスポート・ストリームのうち少なくとも１つから再生されるタイミング情報を利用する、データ制御モジュール（１２０）と、
前記第２のトランスポート・ストリームに関する前記パケットを第２のトランスポート・メディア（１０３）に供給するトランスポート・インタフェース（１２５）と、から成る装置。
（請求項２）  トランスポート・パケットを前記モデムから前記データ制御モジュールに伝送するルータ（１１５）を更に含む、請求項１記載の装置。
（請求項３）  前記データ制御モジュールとコンピューティング装置との間にデータを転送するインタフェース・モジュール（１４０）を更に含み、前記インタフェース・モジュールは前記第２のトランスポート・ストリームに関する前記パケットの中にタイミング・エラーを誘起する傾向があり、前記データ制御モジュールは前記インタフェース装置より誘起されるタイミング・エラーを減らすように働く、請求項１記載の装置。
（請求項４）  第２のトランスポート・ストリームに関する前記パケットを前記第２のメディアを介して受け取るバック‐エンド（ｂａｃｋ‐ｅｎｄ）処理装置（１０４）を更に含む、請求項１記載の装置。
（請求項５）  パケット化された基本的ストリームを、前記第２のメディアを通って伝播された前記トランスポート・ストリームから検索するトランスポート・プロセッサ（１５０）を更に含む、請求項１記載の装置。
（請求項６）  前記トランスポート・プロセッサより供給される、パケット化され検索された基本的ストリームを処理するために少なくとも１つの基本的ストリーム処理装置（プロセッサ）（１６０，１６５）を更に含む、請求項５記載の装置。
（請求項７）  前記トランスポート・プロセッサおよび前記少なくとも１つの基本的ストリーム・プロセッサの各々がそれぞれのＲＩＳＣ（Ｒｅｄｕｃｅｄ  Ｉｎｓｔｒｕｃｔｉｏｎ  Ｓｅｔ  Ｃｏｍｐｕｔｅｒ：縮小命令セット・コンピュータ）装置によって実施される、請求項６記載の装置。
（請求項８）  前記第１のトランスポート・ストリームが非同期転送モード（ＡＴＭ：Ａｓｙｎｃｈｒｏｎｏｕｓ  Ｔｒａｎｓｆｅｒ  Ｍｏｄｅ）またはインターネット・プロトコル（ＩＰ）トランスポート・ストリームのうち１つを含み、前記第２のトランスポート・ストリームがＭＰＥＧ‐１、ＭＰＥＧ‐２、ＭＰＥＧ‐４およびＭＥＰＧ‐７のトランスポート・ストリームのうちの１つから成る、請求項１記載の装置。
（請求項９）  アクセス・ネットワーク（１０１）から第１のトランスポート・ストリームを検索してバック‐エンド装置（１０４）へ供給するためのフロント‐エンド装置（１０２）を具え、前記第１のトランスポート・ストリームの中に含まれるオーディオビジュアル・サブ‐ストリームを処理して、表示に適するオーディオビジュアル信号を発生するためのセット・トップ・ターミナル（Ｓｅｔ  Ｔｏｐ  Ｔｅｒｍｉｎａｌ：ＳＴＴ）において、
前記フロント‐エンド（ｆｒｏｎｔ‐ｅｎｄ）装置は、
前記アクセス・ネットワークから前記第１のトランスポート・ストリームを受信するモデム（１１０）であって、前記第１のトランスポート・ストリームの中に第２のトランスポート・ストリームに関するパケットが配置され、前記第２のトランスポート・ストリームのパケットは前記オーディオビジュアル・サブ‐ストリームを形成し且つタイミング・エラーの影響を受けやすい、前記モデムと、
前記第２のトランスポート・ストリームのパケットを前記タイミング・エラーを減らす傾向に変更するデータ制御モジュール（１２０）であって、前記第１のトランスポート・ストリームと前記第２のトランスポート・ストリームのうちの少なくとも１つから再生されるタイミング情報を利用する前記データ制御モジュールと、
前記第２のトランスポート・ストリームに関する前記パケットを第２のトランスポート・メディア（１０３）に供給するトランスポート・インタフェース（１２５）と、から成る、前記セット・トップ・ターミナル。
（請求項１０）  前記フロント‐エンド装置が、前記モデムから前記データ制御モジュールにトランスポート・パケットを送信するルータ（１１５）を更に含む、請求項９記載のセット・トップ・ターミナル。
（請求項１１）  前記フロント‐エンド装置が、前記データ制御モジュールとコンピューティング装置との間にデータを伝達するインタフェース・モジュール（１４０）を更に含み、前記インタフェース・モジュールは前記第２のトランスポート・ストリームに関連する前記パケットの中に前記タイミング・エラーを誘起する傾向がある、請求項９記載のセット・トップ・ターミナル。
（請求項１２）  前記第１のトランスポート・ストリームが、非同期転送モード（ＡＴＭ）またはインターネット・プロトコル（ＩＰ）トランスポート・ストリームのうちの１つから成り、前記第２のトランスポート・ストリームが、ＭＰＥＧ‐１、ＭＰＥＧ‐２、ＭＰＥＧ‐４およびＭＰＥＧ‐７のトランスポート・ストリームのうちの１つから成る、請求項９記載のセット・トップ・ターミナル。
（請求項１３）  第１のトランスポート・ストリームの中に第２のトランスポート・ストリームに関するパケットが配置されており、前記第１のトランスポート・ストリームにジッタを生じる傾向がある第１のメディアから前記第１のトランスポート・ストリームを受け取るステップ（２０５）と、
前記第２のトランスポート・ストリームに関するパケットを前記第１のトランスポート・ストリームから抽出するステップ（２１０）と、
前記第１および第２のトランスポート・ストリームのうちの少なくとも１つから得られるタイミング情報を使用して、前記抽出されたパケットを、前記ジッタを減らす傾向に変更するステップ（２２０−２３０）と、
前記変更されたパケットを第２のメディアを介して伝送するステップ（２４０）と、から成る通信方法。
（請求項１４）  前記第１のトランスポート・ストリームが第１のトランスポート・ストリームのフォーマットに対応し、前記第２のトランスポート・ストリームが第２のトランスポート・ストリームのフォーマットに対応する、請求項１３記載の通信方法。
（請求項１５）  前記第１のトランスポート・ストリームのフォーマットが、非同期転送モード（ＡＴＭ）のフォーマットとインターネット・プロトコル（ＩＰ）のフォーマットのうちの少なくとも１つから成る、請求項１４記載の通信方法。
（請求項１６）  前記第２のトランスポート・ストリームのフォーマットがＭＰＥＧ‐１、ＭＰＥＧ‐２、ＭＰＥＧ‐４およびＭＰＥＧ‐７のトランスポート・ストリームのフォーマットのうちの１つから成る、請求項１４記載の通信方法。
【手続補正４】
【補正対象書類名】明細書
【補正対象項目名】０００９
【補正方法】変更
【補正の内容】
【０００９】
図１は、本発明から利益を得るシステムの高レベル・ブロック図を示す。具体的に、図１は、“フロント‐エンド”装置１０２と接続するアクセス・ネットワーク１０１のような第１のメディアを備えるシステム１００の高レベル・ブロック図を示す。フロント‐エンド装置１０２は第２のメディア１０３を介して、“バック‐エンド”装置１０４と通信する。第２のメディア１０３は、第１のメディア１０１と比較して、それを通って伝送されるデータ・ストリームにタイミング・エラーまたはデータの劣化をほとんど与えない。また、フロント‐エンド装置１０２は、ＰＣＩインタフェース、ＵＳＢ（Ｕｎｉｖｅｒｓａｌ  Ｓｅｒｉａｌ  Ｂｕｓ）インタフェース、ＳＣＳＩ（Ｓｍａｌｌ  Ｃｏｍｐｕｔｅｒ  Ｓｅｒｉａｌ  Ｉｎｔｅｒｆａｃｅ）インタフェースなど、よく知られているインタフェースを介して、アプリケーション装置１０５と通信する。バック‐エンド装置１０４は、アプリケーション・インタフェース１７０を介して、アプリケーション・プロセッサ１７５と接続する。
【手続補正５】
【補正対象書類名】明細書
【補正対象項目名】００１０
【補正方法】変更
【補正の内容】
【００１０】
１つの実施例で、第１のトランスポート・フォーマット（非同期転送モード（Ａｓｙｎｃｈｒｏｎｏｕｓ  Ｔｒａｎｓｆｅｒ  Ｍｏｄｅ：ＡＴＭ）、インターネット・プロトコルＩＰ、または他の知られているトランスポート・プロトコル）に従うトランスポート・ストリームは、アクセス・ネットワーク１０１からフロント‐エンド装置１０２で受信される。遠距離通信ネットワークを具えるアクセス・ネットワーク１０１の場合、フロント‐エンド装置１０２は、遠距離通信インタフェース機能、例えば、ディジタル加入者線（ＤＳＬ）または他の適当なインタフェース機能、を実装する。アクセス・ネットワーク１０１がディジタル・ケーブルＴＶ配信ネットワークを具えるならば、フロント‐エンド１０２はケーブル・モデムのインタフェース機能を実装する。他のアクセス・ネットワークとフロント‐エンドとの組合せ（例えば、衛星、ＰＯＴＳ（Ｐｌａｉｎ  Ｏｌｄ  Ｔｅｌｅｐｈｏｎｅ  Ｓｅｒｖｉｃｅ：従来のアナログ電話回線サービス）、など）は当業者によく知られている。図１は主として、ＤＳＬに従うアクセス・ネットワークに関係する範囲内で記述されている。
【手続補正６】
【補正対象書類名】明細書
【補正対象項目名】００１２
【補正方法】変更
【補正の内容】
【００１２】
ｘＤＳＬモデム１１０は、アクセス・ネットワーク１０１とインタフェースし、アクセス・ネットワーク１０１で使用するのに適するトランスポート・フォーマットに従って配列されたデータを送信／受信する。ｘＤＳＬモデム１１０は、ルータ１１５を介して、データ制御／デ‐ジッタ・モジュール１２０にデータを送信し、且つモジュール１２０からのデータを受信する。ｘＤＳＬモデム１１０とルータ１１５は、ＲＩＳＣ（Ｒｅｄｕｃｅｄ  Ｉｎｓｔｒｕｃｔｉｏｎ  Ｓｅｔ  Ｃｏｍｐｕｔｅｒ：縮小命令セット・コンピュータ）プロセッサ１３０と通信する。プロセッサ１３０は、ｘＤＳＬモデム１１０およびルータ１１５の機能を調整する。プロセッサ１３０はメモリ１３５と協働する。メモリ１３５は、命令を保持し、且つフロント‐エンド装置１０２のための一時的な記憶装置／バッファ・メモリとして使用される。
【手続補正７】
【補正対象書類名】明細書
【補正対象項目名】００１４
【補正方法】変更
【補正の内容】
【００１４】
ルータ１１５は、アクセス・ネットワーク１０１から受信されたデータから、バック‐エンド装置１０４によるその後の処理に適するトランスポート・パケットを抽出する。バック‐エンド装置１０４に適合するフォーマットを使用するパケットをアクセス・ネットワーク１０１が送信する場合、ルータ１１５は単に、その適合するパケットを、データ制御／デ‐ジッタ・モジュール１２０に送信するだけである。バック‐エンド・プロセッサ１０４で使用されるものと異なるフォーマットを使用するパケットをアクセス・ネットワーク１０１が送信する場合、ルータ１１５は、バック‐エンド・プロセッサ１０４に適合するパケット構成情報をアクセス・ネットワークから抽出する。
【手続補正８】
【補正対象書類名】明細書
【補正対象項目名】００１５
【補正方法】変更
【補正の内容】
【００１５】
データ制御／デ‐ジッタ・モジュール１２０は、抽出されたパケットに関連するタイミング・パラメータと、オプションとしてアクセス・ネットワーク１０１から受信されたトランスポート・パケットに関連するタイミング・パラメータを処理する。処理されたタイミング・パラメータは、例えば、２７ＭＨｚのＭＰＥＧシステム・クロックの再生に関するクロック再生パラメータを含む。本発明の１つの実施例で、第２のトランスポート・ストリームは、２７ＭＨｚのＭＰＥＧシステム・クロックの部分を含むリファレンス・パケットが中に挿入されているＭＰＥＧトランスポート・ストリームから成る。すなわち、各リファレンス・パケットの中にはプログラム・クロック・リファレンス（ＰＣＲ）が含まれ、再生クロックを同期させ、ＭＰＥＧトランスポート・パケットの再生および種々のシステム同期機能が遂行される。２７ＭＨｚのＭＰＥＧシステム・クロックを再生すると、プレゼンテーション・タイム・スタンプ（ＰＴＳ）、デコード・タイム・スタンプ（ＤＴＳ）および他のタイミング・パラメータも処理される。
【手続補正９】
【補正対象書類名】明細書
【補正対象項目名】００１８
【補正方法】変更
【補正の内容】
【００１８】
バック‐エンド装置１０４は、例えば、トランスポート・インタフェース１５０、トランスポート・プロセッサ１５５、ビデオ・デコーダ１６０、オーディオ・デコーダ１６５、およびオプションのアプリケーション・インタフェース・モジュール１７０から成る。バック‐エンド装置１０４は、ＭＰＥＧトランスポート・ストリームのようなオーディオビジュアル情報を含むトランスポートを第２のメディア１０３から受信する。トランスポート・インタフェース１５０は、知られているインタフェース機能を、受信されたトランスポート・ストリームに遂行し、受信されたトランスポート・ストリームをトランスポート・プロセッサ１５５に連結させる。トランスポート・プロセッサ１５５は、公知のトランスポート処理機能を遂行し、例えば、複数のトランスポート・ストリームを含む信号から特定の１つのトランスポート・ストリームをデマルチプレクス（ｄｅｍｕｌｔｉｐｌｅｘ）し、選択されたトランスポート・ストリームから基本的ビデオ／オーディオ・ストリームをデマルチプレクスし、その結果生じるパッケット化または非パッケット化された基本的ストリーム（ビデオＶおよびオーディオＡ）をビデオ・デコーダ１６０とオーディオ・デコーダ１６５とにそれぞれ結合させる。
【手続補正１０】
【補正対象書類名】明細書
【補正対象項目名】００１９
【補正方法】変更
【補正の内容】
【００１９】
ビデオ・デコーダ１６０とオーディオ・デコーダ１６５はそれぞれ、ビデオ・ストリームＶとオーディオ・ストリームＡとを復号化し、復号化されたビデオ・ストリームとオーディオ・ストリームとを発生する。復号化されたビデオ・ストリームとオーディオ・ストリームとは信号処理装置（プロセッサ）に結合され、その後、それぞれのプレゼンテーション装置（図示せず）に結合される。オプションのインタフェース１７０は、アプリケーション装置１０５、特に、アプリケーション・プロセッサ１７５、と協働する。アプリケーション・プロセッサ１７５は、メモリ１８０と協働してアプリケーションを走らせる。
【手続補正１１】
【補正対象書類名】明細書
【補正対象項目名】００２２
【補正方法】変更
【補正の内容】
【００２２】
本発明の１つの実施例で、ＤＳＬ（Ｄｉｇｉｔａｌ  Ｓｕｂｓｃｒｉｂｅｒ  Ｌｉｎｅ）機能を実装するセット・トップ・ターミナルはゲートウェイ装置として機能しない。本発明のこの実施例では、フロント‐エンド装置１０２は、ルータ／スイッチ機構とＰＣＩインタフェースとを削除することにより簡略化することもできる。すなわち、フロント‐エンド装置がコンピューティング装置とコミュニケートする必要がない場合、ＰＣＩインタフェース１４０とルータ１１５は省略できる。
【手続補正１２】
【補正対象書類名】明細書
【補正対象項目名】００３２
【補正方法】変更
【補正の内容】
【００３２】
本発明の教示を組み込んでいる種々の実施例は本文中で詳細に説明されているが、当業者はこれらの教示を組み込んで多数の多様な実施例を容易に考案することができる。
【手続補正１３】
【補正対象書類名】明細書
【補正対象項目名】図面の簡単な説明
【補正方法】変更
【補正の内容】
【図面の簡単な説明】
【図１】
本発明から利益を得るシステムの高レベルのブロック図を示す。
【図２】
本発明の実施例による処理方法のフローチャートを示す。
【符号の説明】
１００  システム
１０１  アクセス・ネットワーク（第１のメディア）
１０２  フロント‐エンド装置
１０３  第２のメディア
１０４  バック‐エンド装置
１０５  アプリケーション装置
１１０  ｘＤＳＬ  モデム
１１５  ルータ
１２０  データ制御／デ‐ジッタ（ジッタ除去）モジュール
１２５  トランスポート・インタフェース
１３０  プロセッサ（ＲＩＳＣ）
１３５  メモリ
１４０  ＰＣＩインタフェース
１５０  トランスポート・インタフェース
１５５  トランスポート・プロセッサ
１６０  ビデオ・デコーダ
１６５  オーディオ・デコーダ
１７０  インタフェース
１７５  アプリケーション・プロセッサ
１８０  メモリ